(57)【要約】【課題】  希望曲リストのコンテンツが自己の再生装置にない場合に、他の再生装置へ取得要求して再生させることができる情報再生装置を提供する。【解決手段】  １以上のコンテンツデータ及びコンテンツリストを記憶する記憶部３４と、コンテンツデータを再生する再生部３７と、コンテンツリストの中のコンテンツデータを選択する操作部３５と、他の通信装置２２と無線通信を行う無線通信部３８と、操作部の操作により選択されたコンテンツデータを記憶部が記憶していない場合に、無線通信部にコンテンツデータの通信要求を他の通信装置へ送信させる制御部３７をもつ情報再生装置。【選択図】図１
2007299215.tif 000002
【特許請求の範囲】
【請求項１】
１以上のコンテンツデータ及びコンテンツリストを記憶する記憶部と、
コンテンツデータを再生する再生部と、
前記コンテンツリストの中のコンテンツデータを選択する操作部と、
他の通信装置と無線通信を行う無線通信部と、
前記操作部の操作により選択されたコンテンツデータを前記記憶部が記憶していない場合に、前記無線通信部にコンテンツデータの通信要求を前記他の通信装置へ送信させる制御部と、を具備することを特徴とする情報再生装置。
【請求項２】
前記コンテンツリストは、アーティスト名、曲名、アルバム名を含む希望曲リストであることを特徴とする請求項１記載の情報再生装置。
【請求項３】
前記再生部は、前記他の通信装置から受信したコンテンツデータを前記無線通信部から連続的に供給され、ストリーミング再生を行なうことを特徴とする請求項１記載の情報再生装置。
【請求項４】
前記無線通信部は、Bluetooth（登録商標）通信規格により前記他の通信装置と通信を行なうことを特徴とする請求項１記載の情報再生装置。
【請求項５】
前記制御部は、前記操作部の操作により選択されたコンテンツデータが、前記記憶部及び前記他の通信装置内に存在しないとき、前記選択されたコンテンツデータの属性に基づいて、前記他の通信装置内の代替コンテンツデータを再生することを特徴とする請求項１記載の情報再生装置。
【請求項６】
前記制御部は、前記操作部により選択されたコンテンツデータが、前記記憶部及び前記他の通信装置内に存在しないとき、前記選択されたコンテンツデータの属性に基づいて、前記他の通信装置内の代替コンテンツデータの候補を検出しこれを表示部に選択可能に表示することを特徴とする請求項１記載の情報再生装置。
【請求項７】
前記再生部からのコンテンツデータの再生信号を受ける、無線機能をもったヘッドフォンユニットであって、前記他の通信装置から、前記操作部により選択されたコンテンツデータを直接受信して再生するヘッドフォンユニットを更に有することを特徴とする請求項１記載の情報再生装置。
【請求項８】
通信機能をもった通信装置と、
１以上のコンテンツデータ及びコンテンツリストを記憶する記憶部と、コンテンツデータを再生する再生部と、前記コンテンツリストの中のコンテンツデータを選択する操作部と、前記通信装置と無線通信を行う無線通信部と、前記操作部の操作により選択されたコンテンツデータを前記記憶部が記憶していない場合に、前記無線通信部にコンテンツデータの通信要求を前記通信装置へ送信させる制御部をもつ情報再生装置と、
を具備することを特徴とする情報再生システム。
【請求項９】
前記コンテンツリストは、アーティスト名、曲名、アルバム名を含む希望曲リストであることを特徴とする請求項８記載の情報再生システム。
【請求項１０】
前記再生部は、前記他の通信装置から受信したコンテンツデータを前記無線通信部から連続的に供給され、ストリーミング再生を行なうことを特徴とする請求項８記載の情報再生システム。
【請求項１１】
前記無線通信部は、Bluetooth（登録商標）通信規格により前記他の通信装置と通信を行なうことを特徴とする請求項８記載の情報再生システム。
【請求項１２】
１以上のコンテンツデータ及びコンテンツリストを記憶する記憶部と、コンテンツデータを再生する再生部と、前記コンテンツリストの中のコンテンツデータを選択する操作部と、他の通信装置と無線通信を行う無線通信部とを有する情報再生装置の制御部にインストールされて機能するプログラムであり、
前記操作部の操作により選択されたコンテンツデータを前記記憶部が記憶していない場合に、前記無線通信部にコンテンツデータの通信要求を前記通信装置へ送信させる機能を有することを特徴とする情報再生プログラム。
【発明の詳細な説明】
【技術分野】
【０００１】
この発明は、情報再生装置に関し、特に、他の情報再生装置と通信してコンテンツデータの転送要求を行なう情報再生装置、情報再生システム及び情報再生プログラムに関する。
【背景技術】
【０００２】
最近、デジタルコンテンツを記録し再生する技術が普及・発達してきており、大量のデジタルコンテンツを容易に扱える環境が整えられてきている。これに伴い、通信機能を利用して、複数のデジタル機器の間でデジタルコンテンツを利用する技術も知られている。
【０００３】
特許文献１においては、自宅等に蓄積されているコンテンツデータを任意の場所で利用するために、ネットワークを介して自宅のサーバに接続し、ユーザが必要とするコンテンツデータを送信させ、それを受信して再生する装置が開示されている。
【特許文献１】特開２００２−３３４０３１公報
【発明の開示】
【発明が解決しようとする課題】
【０００４】
しかし、特許文献１の従来技術では、当該機器の通信機能を利用して、他の機器の操作機能を呼び出して、コンテンツリストを参照し選択してストリーミング再生を行なっているのであり、他の機器の操作をリモコンで行なっているに過ぎない。
【０００５】
本発明は、上記事情を考慮してなされたもので、希望曲リストのコンテンツが自己の再生装置にない場合に、他の再生装置へ取得要求して再生させることができる情報再生装置を提供することを目的とする。
【課題を解決するための手段】
【０００６】
本発明の一実施形態に係る情報再生装置は、
１以上のコンテンツデータ及びコンテンツリストを記憶する記憶部（３４）と、
コンテンツデータを再生する再生部（３７）と、
前記コンテンツリストの中のコンテンツデータを選択する操作部（３５）と、
他の通信装置（２２）と無線通信を行う無線通信部（３８）と、
前記操作部の操作により選択されたコンテンツデータを前記記憶部が記憶していない場合に、前記無線通信部にコンテンツデータの通信要求を前記他の通信装置へ送信させる制御部（３７）と、を具備することを特徴とする情報再生装置である。
【発明の効果】
【０００７】
上述した情報再生装置は、希望曲リスト（コンテンツリスト）中の曲が自己の記憶領域にない場合、自動的に通信可能な他の再生装置にアクセスして希望曲のコンテンツ（又は類似コンテンツ）を呼び出し、例えばストリーミング再生することができる。
【発明を実施するための最良の形態】
【０００８】
以下、図面を用いて本発明の一実施形態を説明する。本実施形態ではコンテンツ再生装置としてオーディオプレーヤを例に挙げて説明する。
【０００９】
図１は、本発明の一実施形態に係る情報再生装置のコンテンツの再生方法の一例を示す説明図。図２は、同じく情報再生装置のコンテンツの再生方法の他の一例を示す説明図。図３は、同じく情報再生装置の外観の一例を示す外観図。図４は、同じくＨＤを伴う情報再生装置の外観の一例を示す外観図。図５は、同じく情報再生装置の構成の一例を示すブロック図。図６は、同じくＨＤを伴う情報再生装置の構成の一例を示すブロック図。図７は、同じく情報再生装置の再生方法の一例を示すフローチャート。図８は、同じく情報再生装置の再生方法の他の一例を示すフローチャート。図９は、同じく情報再生装置が扱う希望曲リストの一例を示す説明図。図１０は、同じく情報再生装置において希望曲の代替曲候補の選択画面の一例を示す説明図である。
【００１０】
＜本発明の一実施形態に係る情報再生装置の一例＞
（概要説明）
初めに、本発明の一実施形態に係る情報再生装置であるオーディオプレーヤの他のオーディオプレーヤと関連した再生処理について、その概要を説明する。  
・通常の再生形態
初めに、オーディオプレーヤ２１の通常の再生形態を図１に示す。図１において、第1のオーディオプレーヤ２１（以後、自機とも記す）にヘッドフォン２３が接続されており、ユーザは、第１のオーディオプレーヤ２１を身近に装着してヘッドフォン２３等で聴取する状態を示している。
【００１１】
なお、後述する希望曲リストは、図１に示すように、一例として、近傍に通信可能に置かれた携帯電話２４やＰＣ２５等からキーボード入力されたり、希望曲リストデータをオーディオプレーヤ２１にダウンロードしたりすることで、オーディオプレーヤ２１に取り込まれるが、この例に限るものではない。
【００１２】
・本発明の実施形態に特有の再生形態
次に、本発明の実施形態に特有の再生形態を図２に示す。ここでは、図２における第２のオーディオプレーヤ２２が更に加わっており、第２のオーディオプレーヤ２２は、ユーザが第１のオーディオプレーヤ２１よりは操作しづらい場所、例えば鞄の中に格納しており、豊富な数のコンテンツ（オーディオ）が格納されている代わりに、ハードディスクドライブ等を内蔵しており、少々大きめの装置であるとする。
【００１３】
ここでは、後述する希望曲リスト（図９）の曲で第1のオーディオプレーヤ２１に格納されていない曲データが、図２のルートＡのように第２のオーディオプレーヤ２２に自動的にアクセスされ、例えば、ストリーミング再生される。又は、曲データが図２のルートＢのように直接、ヘッドフォン２３に転送されて再生される。ここで、第２のオーディオプレーヤ２２とヘッドフォン２３とはそれぞれBluetooth（登録商標）等の無線通信機能を必要としている。
【００１４】
又、この実施形態では、ユーザが第２のオーディオプレーヤ２２にヘッドフォンを直接つないで第２のオーディオプレーヤ２２内のコンテンツを聴取することは考慮せず、通信する相手として第２のオーディオプレーヤ２２を利用するものである。これらの再生形態は、フローチャート等により、以下に詳細に後述される。
【００１５】
（特徴と構成）
次に、第１のオーディオプレーヤ２１、第２のオーディオプレーヤ２２の外観及び構成について、図３乃至図６を用いて説明する。
【００１６】
第１のオーディオプレーヤ２１は、図３に示すような外観をもっており、例えば、シャツのポケット等に収納が容易であり、軽快な操作性をもっており、例えば通勤しながらの音楽等の再生が可能となる。
【００１７】
一方、第２のオーディオプレーヤ２２は、ハードディスクドライブ等を内蔵しており、第１のオーディオプレーヤ２１よりは大きな構造をもっており、豊富な数のコンテンツ（オーディオ）を記録できる一方、操作しづらい場所、例えば鞄の中等に収納して利用することとなる。
【００１８】
又、第１のオーディオプレーヤ２１、第２のオーディオプレーヤ２２の基本構成は、ほぼ同一であり、図５、図６に示すように、システムとして動作した場合の機器の立場、すなわち、どちらの機器にユーザが聴取に用いるヘッドフォンをつないでいるかによって、装置のプログラムで動作が変わるように作られている。
【００１９】
第１のオーディオプレーヤ２１と第２のオーディオプレーヤ２２の図面上の構成の違いは、第２のオーディオプレーヤ２２が独立したＨＤ（ハードディスク）３９をもっていることであり、それ以外はほぼ共通している。
【００２０】
オーディオプレーヤ２１（２２）は、図５及び図６に示すように、データバスに共通に接続されており、システムの動作全体をつかさどる制御部であるＣＰＵ３１、ＲＯＭ３２，ＲＡＭ３３を有しており、システムの動作をつかさどるプログラムがＲＯＭに格納され、ＲＡＭは動作に必要な作業領域として使用される。更に、オーディオプレーヤ２１（２２）は、聴取しようとするコンテンツが格納され、例えばフラッシュメモリ、ハードディスク等が利用されるオーディオ記憶部３４、操作部３５、表示部３６、再生部３７、無線通信部３８等を有している。
【００２１】
ここで、上述した各部を詳細に説明する。オーディオ記憶部３４は、オーディオプレーヤの特徴、すなわち小型軽量を優先するか、コンテンツを豊富に記憶できることを優先するかによって、容量が大きく変わるため、システム制御用のＲＯＭ，ＲＡＭと特に分けて示している。本実施形態の場合の想定は、第１のオーディオプレーヤ２１は小型軽量だがオーディオ記憶部の容量は少なく、第２のオーディオプレーヤ２２はオーディオコンテンツの記憶容量は大きいが、少々大きく重い場合である。例えば、前者はオーディオ記憶部に数ＧＢのフラッシュメモリが用いられ、後者は数十ＧＢのハードディスクが用いられる場合が挙げられる。後述する希望曲リストのデータやコンテンツデータが格納されている。
【００２２】
操作部３５は、オーディオプレーヤの電源オン／オフや再生指示操作、状態表示などを例えばスイッチやＬＥＤなどを用いて行う部分である。
【００２３】
表示部３６は、オーディオプレーヤのユーザインタフェース手段の一部を担うことに加え、オーディオコンテンツに関連づけられた画像表示などを行うための画像出力手段として使用される。
【００２４】
再生部３７はユーザが音の聴取に用いるヘッドフォンにオーディオ信号を出力する。
【００２５】
無線通信部３８は、Bluetooth（登録商標）等のコンテンツのストリーミングを再生装置間で行うために用いられる通信機能を有するものである。
【００２６】
（再生機能）
このような構成をもつ情報再生装置の特に本発明に係る実施形態に固有の通信機能を用いた再生機能について、以下に図７及び図８のフローチャート、図９の希望曲リスト、図１０の操作画面等を用いて説明する。
【００２７】
前提として、ユーザが再生したい１個以上のコンテンツが、コンテンツ本体（本実施形態ではオーディオデータ）を識別するために必要な情報、図９に示すような希望曲リストが予め用意されている状況を考えるが、一例として、希望曲リストデータは、図１に示すように携帯電話２４やＰＣ２５等から与えられるものでもよい。ここで、図９の希望曲リストは、一例として、アーティスト名、曲名、アルバム名、ジャンル名当のように、多くの属性情報をもっており、操作部３５をユーザが操作することで、希望曲リスト中の特定の曲を指定することもできる。
【００２８】
オーディオプレーヤ２１において、図７のフローチャートに示すように、再生開始が指示されると、コンテンツ識別情報のリストから識別情報を１つ選択するためのインデックスｋを１に初期化する（ステップＳ４１）。そして、インデックスｋに対応するコンテンツ識別情報を希望曲リストから取得する（ステップＳ４２）。
【００２９】
次に、識別情報に対応するコンテンツデータが自機（第１のオーディオプレーヤ２１）のオーディオ記憶部３４に保持されているかを調べる（ステップＳ４３）。保持されていた場合はＳ４４に進み、コンテンツ本体（オーディオデータ）を再生する（ステップＳ４４）。当該コンテンツの再生が終わるとＳ４５に進み、次に再生すべき曲を参照するためにインデックスｋを１増加させた値に更新する（ステップＳ４５）。続いて、インデックスｋがリストの末尾を越えたか否かを判定する（ステップＳ４６）。超えた場合はリスト中のコンテンツを全て再生したということなので、エンドに進み再生が終了する。一方、リストの末尾を越えていない場合はＳ４２に進み、次のコンテンツに対して前述の処理を開始する。
【００３０】
次に、先のＳ４３の判定において、識別情報に対応するコンテンツ本体が自機に保持されていない場合を説明する。この場合、Ｓ４７に進む。ここでは、自機以外の他のコンテンツ再生装置、すなわち第２のオーディオプレーヤ２２が、通信可能な範囲に存在してかつコンテンツ取得要求を受け入れ可能な状態であるかを判定する（ステップＳ４７）。このような第２のオーディオプレーヤ２２が存在しない場合は、Ｓ４５に進む。この場合、当該コンテンツは再生されない。一方、第２のオーディオプレーヤ２２が存在した場合はＳ４８に進む。ここでは、選択されているコンテンツ識別情報に対応するコンテンツ本体が第２のオーディオプレーヤ２２に保持されているか否かを調べる（ステップＳ４８）。ここで、保持されていない場合はＳ４５へ進む。この場合も当該コンテンツは再生されない。一方、第２のオーディオプレーヤ２２に識別情報に対応するコンテンツ本体が存在した場合はＳ４９に進み、ここでは、第２のオーディオプレーヤ２２から第１のオーディオプレーヤ２１へコンテンツをストリーミング再生する（ステップＳ４９）。当該コンテンツのストリーミング再生が終了したらＳ４５へ進み、前述のように次のコンテンツの再生へ向けた処理を行う。
【００３１】
上述のような再生動作を行うことによって、第１のオーディオプレーヤ２１の記憶容量の制約によって、ユーザの所望するコンテンツを十分保持できない場合でも、第２のオーディオプレーヤ２２からストリーミング再生を行うことで再生可能となり、ユーザの聴取要求に従来よりも応えることができ、利便性が向上する。又、ここで、必ずしもストリーミング再生させるだけではなく、コンテンツデータをコピーしたり、移動したりすることも好適である。
【００３２】
（他の実施形態）
本発明に係る実施形態においては、上述した希望曲リストの曲と同一の曲に限らず、類似した曲を自動的に指定することも好適である。
【００３３】
すなわち、図７のステップＳ４３において、自機内に保持されていないコンテンツ本体の再生を第２のオーディオプレーヤ２２からストリーミング再生によって行うという基本方針は同じであるが、希望曲がない場合、希望曲リストの複数の属性を利用して、類似の曲を自動識別し、これを代替曲として再生するものである。
【００３４】
つまり、図８のフローチャートに示すように、第１のオーディオプレーヤ２１に希望曲リストの曲に合致するコンテンツが保持されていれば（ステップＳ５１）、通常のように第１のオーディオプレーヤ２１でコンテンツを再生する（ステップＳ５２）。しかし、これがなければ、第２のオーディオプレーヤ２２で希望曲に合致する曲を探しこれがあれば上述したように合致したコンテンツを例えばストリーミング再生する（ステップＳ５４）。
【００３５】
これが叶わぬ時、ステップＳ５５に飛び、第１のオーディオプレーヤ２１に希望曲リストに類似するコンテンツがあるかどうかを探し、あればこれを代替曲として再生するものである（ステップＳ５６）。又、第１のオーディオプレーヤ２１には、代替曲が存在しない場合は、ステップＳ５７に飛び、第２のオーディオプレーヤ２２に希望曲に類似するコンテンツが存在するかどうかを探し（ステップＳ５７）、存在しなければコンテンツの再生を中止し（ステップＳ５８）、存在していれば、この類似コンテンツを再生するものである（ステップＳ５９）。
【００３６】
ここで、図１０に示すような操作画面を用意して、
『あなたが希望された曲『空も飛べるはず』はありませんでしたが、同アルバム『空の飛び方』の以下の曲が、別装置にありました。再生希望の曲があれば、選択して再生してください。』等のメッセージと『たまご、スパイダー、ベビーフェース』等の代替曲候補を表示してユーザに選択させてから再生することも好適である。
【００３７】
又、類似性の判断は、希望曲リストの属性情報、すなわち、アーティスト名、ジャンル名、アルバム名等の属性情報に基づいて適宜行なうことが好適であり、類似性の判断の基準は操作部３５等を用いてユーザが任意に設定可能とすることが好適である。
【００３８】
これは、希望曲『空も飛べるはず』が存在しないとき、希望曲『空も飛べるはず』のアルバム『空の飛び方』の曲があるかどうかを探して、あればこれらを代替曲の候補として決定するものである。しかし、希望曲『空も飛べるはず』が存在しないとき、希望曲『空も飛べるはず』のアーティスト名『スピィツ』の曲を代替曲の候補としてもよいし、ジャンル名『ジャパンポップス』の曲を代替曲の候補としてもよいということである。
【００３９】
又、候補をユーザに選択させることをせず、自動的に代替曲の再生を開始するという方法をとることも好適であり、このような多くの再生モードを操作部のユーザの操作により自由に選択させることも好適である。
【００４０】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００４１】
【図１】本発明の一実施形態に係る情報再生装置のコンテンツの再生方法の一例を示す説明図。
【図２】本発明の一実施形態に係る情報再生装置のコンテンツの再生方法の他の一例を示す説明図。
【図３】本発明の一実施形態に係る情報再生装置の外観の一例を示す外観図。
【図４】本発明の一実施形態に係るＨＤを伴う情報再生装置の外観の一例を示す外観図。
【図５】本発明の一実施形態に係る情報再生装置の構成の一例を示すブロック図。
【図６】本発明の一実施形態に係るＨＤを伴う情報再生装置の構成の一例を示すブロック図。
【図７】本発明の一実施形態に係る情報再生装置の再生方法の一例を示すフローチャート。
【図８】本発明の一実施形態に係る情報再生装置の再生方法の他の一例を示すフローチャート。
【図９】本発明の一実施形態に係る情報再生装置が扱う希望曲リストの一例を示す説明図。
【図１０】本発明の一実施形態に係る情報再生装置において希望曲の代替曲候補の選択画面の一例を示す説明図。
【符号の説明】
【００４２】
３１…ＣＰＵ、３２…ＲＯＭ、３３…ＲＡＭ、３４…オーディオ記憶部、３５…ユーザインタフェース部、３６…表示部、３７…音出力部、３８…無線通信部、３９…ＨＤ。
【図１】
2007299215.tif 000003
【図２】
2007299215.tif 000004
【図３】
2007299215.tif 000005
【図４】
2007299215.tif 000006
【図５】
2007299215.tif 000007
【図６】
2007299215.tif 000008
【図７】
2007299215.tif 000009
【図８】
2007299215.tif 000010
【図９】
2007299215.tif 000011
【図１０】
2007299215.tif 000012